(57)【要約】      （修正有）【課題】大型無機質板の躯体からの脱落を防止できる固定方法、およびそのための治具を提供する。【解決手段】深さが、最も短い幅と同じかより小である非貫通孔または溝を、一方の面に有する大型無機質板を用意する。躯体と接続する接続部と、非貫通孔または溝に係止される係止部とを備えてなる固定部材であって、係止部が、無機質板の面に沿った方向に加え、非貫通孔または溝の深さ方向に沿った方向に変形可能であり、非貫通孔または溝に挿入可能であり、かつ、非貫通孔または溝の内壁に当接する当接面を備えてなるものを用意する。固定部材の係止部に力を加えてその形を歪めて非貫通孔または溝に係止部を挿入し、係止部を非貫通孔または溝の内壁に面して当接し押圧させ係止する。経時的な劣化などで接着剤などによる固定が十分でなくなった場合でも、固定部材を用いた固定手段が存在するため、脱落や、脱落に伴う被害を防ぐことができる。【選択図】図１
2017179930.tif 000002
【特許請求の範囲】
【請求項１】
大型無機質板を躯体に固定する方法であって、
（ａ）  その深さが、最も短いその幅と同じかそれよりも小である非貫通孔または溝を、一方の面に有する大型無機質板を用意する工程と、
（ｂ）  前記躯体と接続する接続部と、前記非貫通孔または溝に係止される係止部とを備えてなる固定部材を用意する工程であって、前記係止部が、前記面に沿った方向に加え、前記非貫通孔または溝の深さ方向に沿った方向に変形可能であり、前記非貫通孔または溝に挿入可能であり、かつ、前記非貫通孔または溝の内壁に当接する当接面を備えてなるものを用意する工程と、
（ｃ）  前記係止部に力を加えてその形を歪めて前記非貫通孔または溝に前記係止部を挿入し、前記係止部を前記非貫通孔または溝の内壁に面して当接し押圧させることにより、前記固定部材を前記大型無機質板に係止する工程と、
（ｄ）  前記接続部を躯体に接続する工程と、
（ｅ）  前記非貫通孔または溝を有する面と躯体とを接着する工程と
を含んでなる、方法。
【請求項２】
前記固定部材が、前記係止部と前記接続部との間にさらに支持部を備えてなる、請求項１に記載の方法。
【請求項３】
前記係止部が、歪動が可能な可動端とされてなる、請求項１または２に記載の方法。
【請求項４】
前記固定部材の前記係止部が、歪められた形からの、それ自身の復元力によって前記内壁を押圧するものとされてなる、請求項１〜３のいずれか一項に記載の方法。
【請求項５】
前記係止部が、前記非貫通孔または溝の内壁に面して当接する当接面を備え、該当接面の略全体で前記内壁を押圧するものとされてなる、請求項１〜４のいずれか一項に記載の方法。
【請求項６】
前記大型無機質板が、その開口部の径または幅よりも、その奥における径または幅が大とされた非貫通孔または溝を有するものである、請求項１〜５のいずれ一項に記載の方法。
【請求項７】
前記大型無機質板が、その開口部より深さ方向に一定の距離の間、径または幅が変化せず、該一定の距離よりも深い位置では径または幅を開口部のそれよりも大とされた非貫通孔または溝を有するものである、請求項１〜５のいずれ一項に記載の方法。
【請求項８】
前記固定部材が、それに力を加えて形を歪めて前記非貫通孔または溝に嵌め込むことで、前記大型無機質板に係止される、請求項６または７に記載の方法。
【請求項９】
前記係止部の変形がより生じやすくなるよう、前記係止部に一部切り欠き部が存在する、請求項８に記載の方法。
【請求項１０】
前記接続部の前記躯体への接続が、前記固定部材の接続部に接続材を結合し、前記接続部に結合されている端とは反対側の前記接続材の端を前記躯体に接続することにより行なわれる、請求項１〜９のいずれか一項に記載の方法。
【請求項１１】
前記工程（ｂ）において接続材が予め前記接続部に結合された固定部材を用意し、前記接続部の前記躯体への接続が、前記接続物に結合されている端とは反対側の前記接続部の端を前記躯体に接続することにより行なわれる、請求項１〜９のいずれか一項に記載の方法。
【請求項１２】
前記接続材が線材である、請求項１０または１１のいずれか一項に記載の方法。
【請求項１３】
前記大型無機質板が、陶磁器、石、またはガラスからなるものである、請求項１〜１２のいずれか一項に記載の方法。
【請求項１４】
前記大型無機質板が一辺９００ｍｍ以上、厚さ１０ｍｍまでのものである、請求項１〜１３のいずれか一項に記載の方法。
【請求項１５】
前記非貫通孔または溝の深さが、前記無機質板の厚さの半分以下とされたてなる、請求項１４に記載の方法。
【請求項１６】
前記非貫通孔または溝の深さが６ｍｍ以下である、請求項１５に記載の方法。
【請求項１７】
請求項１〜１６のいずれか一項に記載の大型無機質板を躯体に固定する方法に用いられる固定部材であって、
前記躯体と接続する接続部と、前記非貫通孔または溝に係止される係止部とを備えてなり、前記係止部が、前記面に沿った方向に加え、前記非貫通孔または溝の深さ方向に沿った方向に変形可能であり、前記非貫通孔または溝に挿入可能であり、かつ、前記非貫通孔または溝の内壁に当接する当接面を備えてなるもの
であることを特徴とする、固定部材。
【請求項１８】
躯体と、該躯体に固定された無機質板とを備えてなる構造物であって、
前記無機質板が、その深さが、最も短いその幅と同じかそれよりも小である非貫通孔または溝を、一方の面に有し、
当該貫通孔または溝には固定部材が係止されてなり、ここで当該固定部材は、前記躯体と接続する接続部と、前記非貫通孔または溝に係止される係止部とを備えてなり、前記係止部が、前記面に沿った方向に加え、前記非貫通孔または溝の深さ方向に沿った方向に変形して非貫通孔または溝に挿入可能であり、かつ、前記非貫通孔または溝の内壁に当接する当接面を備えてなり、
前記固定部材が躯体に接続され、さらに
前記非貫通孔または溝を有する面と躯体とが接着されてなることを特徴とする、構造物。
【発明の詳細な説明】
【技術分野】
【０００１】
本発明は、無機質板、とりわけ薄型で大型の陶磁器板を壁などの躯体に固定する方法およびそのための治具に関し、さらに詳しくは無機質板を接着剤などで貼着する固定手段に加えて実施され、その脱落などを防止する方法およびそのための治具に関する。
【背景技術】
【０００２】
内装または外装材としてタイルなどの無機質板が広く用いられている。これら無機質板の躯体への施工は、接着剤やモルタルなどで張り付けることに行われる。さらに、最近では目地を少なくでき、施工の簡略化や意匠の多様化を実現可能な大型陶磁器板が実用化され広く利用されてきており、このような大型陶磁器板についてもその施工は接着剤などによる張付けが一般的である。
【０００３】
このような無機質板、とくに大型陶磁器板を壁面などに施工する場合、経年により剥離や割れが発生しても、脱落並びに脱落に伴う被害を抑止することが必要になる。大型陶磁器板は薄型とされ軽量化されているものが多いが、特に大型陶磁器板を外装材としてする場合には、脱落並びに脱落に伴う被害を抑止可能な施工システムが重要になる。
【０００４】
このような施工システムとして、接着剤などによる貼着に加えて、無機質板に穴をあけてタッピングビスなどで固定することが行われている。しかしながら、内装・外装材として化粧面を有するものである場合、穴およびビスの頭は化粧面の意匠を損なう恐れがある。
【０００５】
化粧面の意匠性を損ねない施工方法として、例えば、無機質板の片面に非貫通孔を設け、この孔に円筒形状のコイル状部の全体を挿入してコイル状部の拡開方向の弾発力に基づく摩擦力により該穴に固定する方法が提案されている（特開平８−６８１８３号公報、特許文献１）。この方法では、コイルを孔に挿入するため、ある程度の深さの孔を必要とする。また、非貫通孔に特定構造の係止片を用いて建築板を固定する提案もされているが（特開２０１０−２３６２６２号公報、特許文献２）、この係止片は非貫通孔内壁と点で接触する構造であるため、その係止力には限度があると考えられる。従って、化粧面の意匠性を損ねない施工方法、とりわけ薄型で大型の無機質板の固定方法が依然として求められていると言える。
【先行技術文献】
【特許文献】
【０００６】
【特許文献１】特開平８−６８１８３号公報
【特許文献２】特開２０１０−２３６２６２号公報
【特許文献３】特開２０１５−１０３８０号公報
【発明の概要】
【発明が解決しようとする課題】
【０００７】
本発明は、無機質板を躯体に固定し、その脱落を防止できるその固定方法およびそのための治具、その固定方法によって得られる構造物の提供を目的とする。
【課題を解決するための手段】
【０００８】
そして、本発明による大型無機質板を躯体に固定する方法は、
（ａ）  その深さが、最も短いその幅と同じかそれよりも小である非貫通孔または溝を、一方の面に有する大型無機質板を用意する工程と、
（ｂ）  前記躯体と接続する接続部と、前記非貫通孔または溝に係止される係止部とを備えてなる固定部材を用意する工程であって、前記係止部が、前記面に沿った方向に加え、前記非貫通孔または溝の深さ方向に沿った方向に変形可能であり、前記非貫通孔または溝に挿入可能であり、かつ、前記非貫通孔または溝の内壁に当接する当接面を備えてなるものを用意する工程と、
（ｃ）  前記係止部に力を加えてその形を歪めて前記非貫通孔または溝に前記係止部を挿入し、前記係止部を前記非貫通孔または溝の内壁に面して当接し押圧させることにより、前記固定部材を前記大型無機質板に係止する工程と、
（ｄ）  前記接続部を躯体に接続する工程と、
（ｅ）  前記非貫通孔または溝を有する面と躯体とを接着する工程と
を含んでなる方法である。
【０００９】
また、本発明による固定部材は、本発明による大型無機質板を躯体に固定する方法に用いられる固定部材であって、
前記躯体と接続する接続部と、前記非貫通孔または溝に係止される係止部とを備えてなり、前記係止部が、前記面に沿った方向に加え、前記非貫通孔または溝の深さ方向に沿った方向に変形可能であり、前記非貫通孔または溝に挿入可能であり、かつ、前記非貫通孔または溝の内壁に当接する当接面を備えてなることを特徴とする。
【００１０】
また、本発明による構造物は、
躯体と、該躯体に固定された無機質板とを備えてなる構造物であって、
前記無機質板が、その深さが、最も短いその幅と同じかそれよりも小である非貫通孔または溝を、一方の面に有し、
当該貫通孔または溝には固定部材が係止されてなり、ここで当該固定部材は、前記躯体と接続する接続部と、前記非貫通孔または溝に係止される係止部とを備えてなり、前記係止部が、前記面に沿った方向に加え、前記非貫通孔または溝の深さ方向に沿った方向に変形して非貫通孔または溝に挿入可能であり、かつ、前記非貫通孔または溝の内壁に当接する当接面を備えてなり、
前記固定部材が躯体に接続され、さらに
前記非貫通孔または溝を有する面と躯体とが接着されてなることを特徴とする。
【図面の簡単な説明】
【００１１】
【図１】第一の態様無機質板の躯体への固定方法を説明する図である。
【図２】図１の無機質板１に設けられた非貫通孔２の拡大図である。
【図３】（ａ）は、非貫通孔２の拡大断面図であり、（ｂ）は断面がアリ穴、つまり逆ハの字の形状の非貫通孔の断面図であり、（ｃ）は入り口より深さ方向に一定の距離の間、直径が変化しない内壁面２１がありさらに深い位置では、直径を入り口の直径より大とされた非貫通孔の断面図である。
【図４】固定部材の一つの例を示す図である。（ａ）は側面図であり、（ｂ）は側面図である。
【図５】中央部に空洞２３５が設けられ、支持部２３１および係止部２３２の弾性変形がより生じやすい形状とされた固定部材を示す図であり、（ａ）は断面図であり、（ｂ）は底面図である。
【図６】支持部２３１および係止部２３２の弾性変形がより生じやすくなるよう、切り欠き部２３６が設けられた固定部材を示す図であり、（ａ）は、この態様の固定部材３の側面図であり、（ｂ）は底面図である。
【図７】接続材である線材４１を貫通孔３３に通すことにより、接続材が結合され、大型無機質板の非貫通孔２に挿入・係止された固定部材３の状態を表す図である。
【図８】図７に示される固定部材３により係止された無機質板１を、躯体５１に接続した状態の説明図である。
【図９】躯体５１の表面５２に、複数の無機質板１を張り付けた状態の説明図である。
【図１０】第二の態様による無機質板の躯体への固定方法を説明する図である。
【図１１】無機質板の溝の模式図である。溝２は途中で閉じずに、無機質板の端部にまで至り、その側面に凹みを形成している。
【図１２】溝２の拡大断面図であり、（ａ）無機質板の表面に対してほぼ垂直な内壁面を有し、（ｂ）はアリ穴、つまり逆ハの字の形状を有し、（ｃ）は入り口より深さ方向に一定の距離の間、幅が変化しない内壁面があり、さらに深い位置では、幅を入り口の幅よりも大とされた溝の断面図である。
【図１３】固定部材の一つの例を示す図であり、（ａ）は斜視図であり、（ｂ）は側面図である。
【図１４】溝の幅が溝の深さ方向で変化しない態様において、固定部材を溝に固定する説明図である。
【図１５】溝の幅が溝の深さ方向で変化しない態様において、固定部材を溝に固定した状態を表す断面図である。
【図１６】深さ方向に一定の距離の間、幅が変化しない内壁面があり、さらに深い位置では幅が大となる溝に対し固定部材を挿入し、固定した状態を表す模式図である。
【発明を実施するための形態】
【００１２】
定義
無機質板
本発明による方法によって固定される無機質板は、例えば陶磁器、石、またはガラスからなるものである。本発明の一つの態様によれば、本発明において無機質板は、平板として、外装または内装の壁、床、天井の仕上げ材や、キャビネット面材やカウンターの仕上げ材に好ましく用いられる。従って、無機質板は、好ましくは意匠が施された化粧面と、躯体等に貼り付けられる施工面とを備える。また、その大きさは限定されないが、本発明による固定方法は、後記するとおり、無機質板の躯体への二重化された固定方法とすることができることから、比較的大型の無機質板に対して好ましく適用される。本発明の一つの態様によれば、無機質板は短辺３００ｍｍを超えるものであり、９００ｃｍ２を超える面積を有するものである。無機質板の短辺の長さは、好ましくは６００ｍｍ以上、より好ましくは９００ｍｍ以上を有するものである。
【００１３】
さらに本発明による固定方法は、比較的薄い無機質板に好ましく適用できる。薄い無機質板においては非貫通孔または溝は浅くならざるを得ない。大型の陶磁器板では軽量化のため、例えば厚さは３ｍｍ以上１５ｍｍ程度まで、好ましくは１０ｍｍ程度まで、より好ましくは８ｍｍ程度までとされる。
【００１４】
本発明において無機質板は、その表面に釉薬層を有していてもよい。釉薬の成分は特に限定されない。釉薬層の形成は、成形後に施釉し、成形体と一体的に焼成するか、または、焼成体（仮焼体）に施釉した後に焼成するか、いずれかの方法を用いてもよい。さらに、施釉の前後に乾燥工程を設けてもよい。
【００１５】
非貫通孔または溝
本発明による方法が適用される無機質板は、非貫通孔または溝を一方の面、すなわち施工面に有する。非貫通とは、施工面から深さ方向に掘り下げられて孔または溝が形成されるが、化粧面にまで至らない状態を意味する。そして、本発明にあっては、この非貫通孔または溝の深さが、孔または溝の最も短いその幅と同じかそれよりも小であるとされる。
【００１６】
本発明において、無機質板が有する非貫通孔とは、典型的には円形の穴を意味するが、形状は、円形に止まらず、楕円、三角形、四角形、多角形様であってよい。また、溝とは線状の凹部を意味する。しかしながら、孔と溝とは、本発明において明確に区別される必要はなく、例えば楕円の非貫通孔が横長に形成されて溝と解されるような形状であってもよい。後記する固定部材が挿入かつ係止可能である限りにおいて、非貫通孔または溝と呼ぶ。また、溝はその端において閉じずに、無機質板の端部にまで至り、その側面に凹みを形成するものであってよいが、無機質板の強度を維持する観点からは、その端は閉じて、無機質板の端部にまで溝が至らない構成が好ましいと考えられる。
【００１７】
非貫通孔または溝は、深さ方向の形状は、施工面に対して垂直とされてもよく、また入り口、すなわち開口部の直径よりも孔の奥における直径が大とされた、アリ穴、つまり逆ハの字の形状であってもよい。また、入り口部より深さ方向に一定の距離の間、直径が変化せず、さらに深い位置では直径を入り口の直径より大とされた形状であってもよい。
【００１８】
無機質板の強度等への影響からすると、非貫通孔または溝の深さは無機質板の厚さのほぼ半分乃至それ以下とされることが望ましい。本発明による固定方法は、とりわけこのような薄い無機質板における比較的浅い非貫通孔または溝に対して有利に用いられる。具体的には、例えば、非貫通孔または溝の深さが７ｍｍ以下であるような場合に適用できる。また、非貫通孔または溝の最も短い幅は６ｍｍ以上８０ｍｍ以下が好ましく、８ｍｍ以上６０ｍｍ以下がより好ましく、１０ｍｍ以上〜５０ｍｍ以下が、さらに好ましい。最も短い幅は、非貫通孔の孔形状が円形の場合は直径と同義であり、また、孔形状が多角形の場合はその中心を通る最短の幅を意味する。また、溝の場合は、凹条の方向と直角方向の幅のうち、最も短い部位の幅である。
【００１９】
本発明による施工方法
本発明を非貫通孔と溝とに分けると、本発明による方法は、
第一の態様として非貫通孔に無機質板の施工面の面方向およびそれに以外の方向に変形可能な固定部材を適用する態様、
第二の態様として溝に無機質板の施工面の面方向およびそれに以外の方向に変形可能な固定部材を適用する態様
と表すことができる。以下、この態様に分けて本発明を説明する。なお、以下において単に「本発明」と述べてこれら態様に言及することがある。
【００２０】
第一の態様
【００２１】
本発明の第一の態様について、図面を参照しながら説明する。図１は、本発明による無機質板の躯体への固定方法を説明する図である。図１において、無機質板１に、非貫通孔２が設けられてなり、この非貫通孔に固定部材２０３を固定する。そして、固定された固定部材２０３に、接続材４を結合し、それと反対側の端において接続材４を壁などの躯体に接続する。この図の態様にあっては、接続材４の一端がリングとされ、そのリングにビスやアンカーボルトなどの固定具５を躯体（図示せず）に打ち込み、無機質板１は接続される。この接続とは別に、無機質板１の非貫通孔２が設けられた面は、接着剤により躯体に接着される。本発明による固定方法は、本発明による固定方法によれば、接着と、固定部材との二つの手段により、無機質板と躯体とが固定される。無機質板１は、経時的な劣化などで接着力が十分でなくなった場合でも、固定部材を用いた接続手段が存在するため、脱落や、脱落に伴う被害を防ぐことができる。すなわち、本発明によれば、無機質板の躯体への二重化された固定方法が提供される。
【００２２】
（ａ）無機質板を用意する工程
この工程は上記で定義した無機質板を用意する工程である。図２は、図１の無機質板１に設けられた非貫通孔２の拡大図である。さらに、図３（ａ）は、非貫通孔２の拡大断面図であり、（ｂ）および（ｃ）は断面図である。図に示される態様において、非貫通孔２は略円形であり、入り口の直径よりも孔の奥における直径が大とされる。従って、例えば、その断面は（ｂ）に示されるようなアリ穴、つまり逆ハの字の形状であってもよいが、本発明の好ましい態様によれば、図２並びに図３（ａ）および（ｃ）に示されるように、入り口より深さ方向に一定の距離の間、直径が変化しない内壁面２２１があり、さらに深い位置では直径を入り口の直径より大とされる。すなわち、孔内において段が形成される。このような段の形成された非貫通孔であることで、後記するように、固定部材を確実に非貫通孔に固定できるため有利である。
【００２３】
図２および図３に示される非貫通孔２の底面２２２は平面であってよいが、送入された固定部材の係止を大きく阻害しない限り、特に限定されない。
【００２４】
（ｂ）固定部材を用意する工程および（ｃ）固定部材を非貫通孔に係止する工程
図４は、本発明による方法において用いられる固定部材の一つの例を示す図である。図４（ａ）は側面図であり、（ｂ）は側面図である。図４において、固定部材２０３は、支持部２３１から突出した係止部２３２を有し、支持部２３１には貫通孔２３３が設けられ、さらに係止部２３２とは反対側の支持部２３１に、頭部２３４を備える。固定部材２０３は、後記するように、主に係止部２３２が変形して大型無機質板の非貫通孔に嵌め込まれ、挿入される。係止部は無機質板の面に沿った方向に加え、溝の深さ方向に沿った方向に変形可能である。従って、固定部材２０３は、このような挿入を可能にする弾性を有する材料、例えば、樹脂または金属から形成される。
【００２５】
図４に示される態様にあっては、頭部２３４および貫通孔２３１により接続部が構成され、固定部材は後述するように接続材を接続部に結合して、当該接続材を介して躯体に接続される。本発明の別の態様によれば、接続部は頭部と貫通孔の双方を必ずしも備える必要はなく、いずれかのみ備えるものであってもよい。また、接続部は支持部から一体的に延伸されて形成され、この接続部が接続材を介さず直接躯体と接続可能なものとされてもよい。
【００２６】
固定部材２０３の支持部２３１および係止部２３２は、図４（ｂ）の示されるとおり、それを形成する材料で内部も満たされて形成されてもよいが、例えば図５に示されるように、中央部に空洞２３５が設けられ、支持部２３１および係止部２３２の弾性変形がより生じやすい形状とすることもできる。図５（ａ）はこのような空洞２３５が設け有れた態様の固定部材２０３の断面図であり、（ｂ）は底面図である。
【００２７】
また、本発明の別の態様によれば、図５に示されるように、支持部２３１および係止部２３２の弾性変形がより生じやすくなるよう、切り欠き部２３６が設けられてもよい。図６（ａ）は、この態様の固定部材２０３の側面図であり、（ｂ）は底面図である。図中、係止部２３２には３か所、切り欠き部２３６が設けられている。
【００２８】
固定部材２０３の支持部２３１の厚さは、非貫通孔２の直径が変化しない内壁面２２１と同じか若干長いものとされることが、固定部材２０３の非貫通孔への係止、さらにはその後の接続工程のためには好ましい。また、係止部２３２の直径は、非貫通孔の入り口の直径よりも大とし、孔の奥で内壁に当接する位置における孔の直径よりも大きなものとされることが好ましい。このような大きさとすることで固定部材は、変形後のその復元力によって係止部を非貫通孔の内壁に押し付け、より強い摩擦力および係止力を生じさせることができ、好ましい。
【００２９】
以上説明した態様にあって係止部の側面は垂直に形成されているが、図３（ｃ）のような形状の孔の場合は、係止部の側面が、無機質板の表面に対して垂直ではない内壁面に面で接触、押圧するようにテーパー状とされてもよい。
【００３０】
次に、工程（ｂ）で用意した固定部材を大型無機質板の非貫通孔に係止する。この工程は、固定部材に力を加えてその形を歪め、大型無機質板の非貫通孔に固定部材を挿入する。挿入された固定部材は、係止部の側面が非貫通孔の内壁に面で当接して、固定部材の復元力で内壁を押し付けることにより発生する摩擦力により、非貫通孔に係止される図７は、図４に記載の固定部材２０３を大型無機質板の非貫通孔２に挿入し、固定した状態の断面図である。図中、非貫通孔２の直径が変化しない内壁面２２１に固定部材２０３の支持部２３１があたり、さらに非貫通孔のさらに奥において支持部から横に突出した係止部２３２が嵌め込まれることで、固定部材２０３は非貫通孔２に係止される。
【００３１】
（ｄ）固定部材の躯体への接続、および（ｅ）無機質基板の躯体への固定
固定部材の躯体への接続は、本発明の一つの態様によれば、図３〜図６に記載の固定部材の接続部に接続材を結合し、この接続材を利用して行われる。この接続材の接続部への結合は、工程（ｃ）における非貫通孔への固定部材の挿入・係止の前に行われてもよく、その挿入・係止の後に行われてもよい。図７は、接続部を構成する貫通孔２３３に接続材である線材４１が線材固定材４２により結合され、非貫通孔２に係止された固定部材の断面図である。
【００３２】
接続材は、結果として二重化された固定手段として、接着等の第一の固定手段が失われたときにも無機質板を係止することができる強度を有するものであればその形状は限定されないが、例えば、線材、テープ状鋼材などが好ましく挙げられる。
【００３３】
また、本発明の別の態様によれば、固定部材として、貫通孔２３３のような部位を有さないものを用い、固定部材を大型無機質板の非貫通孔に固定した後、固定部材の頭部２３４と、大型無機質板１との隙間を利用して接続材を接続することができる。例えば、接続材としての線材を隙間に巻き付けることにより、接続材を固定部材に結合してよい。また結合は、線材を孔に通して接続部に巻きつけ、ロウ付け、リベット等で留め付けることにより行われてもよく、またこれらを組み合わせてもよい。
【００３４】
次に、固定部材の接続部に接続された接続材の、固定部材と結合されている端とは反対側の端を躯体に接続する。図８は、図３〜図６に示される、固定部材が係止された大型無機質板１を、躯体５１に接続した状態の説明図である。図において、線材４１は、固定部材に結合された端と反対側の端において、躯体５１に打ち込まれた固定点６１に接続されている。続いて、無機質板１は、躯体５１の表面５２と接着剤により張り付けられる。以上により、無機質板１は、固定部材による接続と、接着剤による張り付けとの二つの手段により固定される。無機質板１には、経時的な劣化などで接着力が十分でなくなった場合でも、固定部材を用いた接続手段が存在するため、脱落や、脱落に伴う被害を防ぐことができる。
【００３５】
また、接続部が支持部から延伸された固定部材にあっては、線材などの接続材を用いることなく、延伸された端を用いて無機質板を躯体に接続することができる。接続は例えば、ビス、タッピングビス、アンカーボルトなどを躯体に打ち込むことで行うことができる。この場合、接続材の結合工程は不要となる。
【００３６】
以上の方法により、躯体５１の表面５２に、複数の無機質板１を張り付けた状態の図が図９である。図９において、無機質板１は、非貫通孔２に係止された固定部材に結合された線材４１を固定点６１に接続し、さらに無機質板を接着剤で接着することにより固定される。非貫通孔２は、一つの無機質板１に複数設けられることが好ましく、図９にあっては、無機質板１枚あたり、三つの非貫通孔が設けられている。さらに、線材と、固定点の関係は、単に固定点から線材を吊下げるのみならず、例えば、図９にあるように、固定点６２を非貫通孔２の上で横に設け、線材４３を図の矢印の方向に引いて、無機質板１を持ち上げ、接続する態様であってもよい。また、図９にあって、無機質板１は２段に張り付けられており、下の段の無機質板についての固定点６１は上の段の無機質板に隠れるよう構成されている。また、図１９にあっては、固定点６１は、それにより接続される無機質板の上端よりも上に設けられているが、上端よりも下、すなわち、それにより接続される無機質板に隠れる位置に設けられてもよい。
【００３７】
躯体５１に設けられる固定点６１は、結果として二重化された固定手段として、接着等の第一の固定手段が失われたときにも無機質板を係止することができる強度を有するものであれば特に限定されないが、例えば、ビス、タッピングビス、アンカーボルトなどが挙げられる。
【００３８】
接着剤としては、無機質板を躯体に接着可能なものであれば限定されないが、合成高分子系の接着剤が好ましい。合成高分子系の接着剤としては、エポキシ系、シリコン系、ウレタン系、アクリル系などが好適に用いられる。これらの接着剤は、常温で液状またはペースト状の接着剤、ホットメルト接着剤、テープ状に成形されたもの、のいずれも好適に使用可能である。
【００３９】
なお、本発明において、大型無機質板の裏面と躯体との接着剤による張り付けは、無機質板と躯体表面との間に下地材が介在する態様も含まれるものとする。この場合、例えば、躯体が鉄骨等の柱である場合には、板状の下地材が躯体に公知の方法で固定されており、この下地材の表面に無機質板を接着剤で張り付ける。また例えば、既設の壁をリフォームする際に本発明の方法を適用する場合、既設の壁面を下地材として、その上に接着剤を用いて無機質板を張り付けても良い。いずれの場合も、ビスやアンカーボルトは躯体に固定されていることが好ましい。
【００４０】
第二の態様
図１０は、この態様による無機質板の躯体への固定方法を説明する図である。図１０において、無機質板１に、溝２が設けられてなり、この溝に固定部材４０３を挿入して固定部材が係止される。係止される固定部材４０３には接続材４が結合され、接続材４は、固定部材４０３に結合された端と反対側の端において壁などの躯体に接続される。この図の態様にあっては、接続材４の一端がリング状とされ、そのリングにビスやアンカーボルトなどの固定具５を躯体（図示せず）に打ち込み、無機質板１は接続される。この接続とは別に、無機質板１の溝２が設けられた面は、接着剤により躯体に接着される。本発明による固定方法は、接続および接着の二つの手段により、無機質板と躯体とが固定される。無機質板１は、経時的な劣化などで接着力が十分でなくなった場合でも、固定部材を用いた接続手段が存在するため、脱落や、脱落に伴う被害を防ぐことができる。すなわち、本発明によれば、無機質板の躯体への二重化された固定方法が提供される。
【００４１】
本発明の第二の態様にあって、上記工程（ａ）において溝を有する無機質板が用意される。図１０および図１１は、この態様において用意される無機質板の溝の模式図である。図１０において、溝２は３２０において閉じているが、図１１にあっては、溝２は閉じずに無機質板の端部にまで至り、その側面に凹みを形成している。上記したように、本発明にあっては、いずれの形状の溝であってもよいが、無機質板の強度を維持する観点からは、その端は閉じて、無機質板の端部にまで溝が至らない図１０の構成が好ましいと考えられる。
【００４２】
さらに、図１２は溝２の拡大断面図であり、溝２は（ａ）に示されるように、無機質板の表面に対してほぼ垂直な内壁面３２１を有する。また溝２は、例えば、その断面が（ｂ）に示されるようなアリ穴、つまり逆ハの字の形状であってもよく、また（ｃ）に示されるように、入り口より深さ方向に一定の距離の間、直径が変化しない内壁面３２２があり、さらに深い位置では直径を入り口の直径より大とされてもよい。すなわち、溝内において段が形成される。このような段の形成された溝であることで、固定部材を確実に非貫通孔に固定できるため有利である。
【００４３】
図１３は、この態様において用いられる固定部材の一つの例を示す図である。図１３（ａ）は斜視図であり、（ｂ）は側面図である。図において、固定部材４０３は、支持部４３１から突出した係止部４３２を有し、支持部４３１には貫通孔４３３が設けられ、さらに係止部４３２とは反対側の支持部４３１に、頭部４３４を備える。固定部材４０３は、主に係止部４３２が変形して大型無機質板の溝に嵌め込まれ、挿入される。係止部は無機質板の面に沿った方向に加え、溝の深さ方向に沿った方向に変形可能である。従って、固定部材４０３は、このような挿入を可能にする弾性を有する材料、例えば、樹脂または金属から形成される。
【００４４】
固定部材４０３の支持部４３１および係止部４３２は、それを形成する材料で内部も満たされて形成されてもよいが、中央部に空洞が設けられ、支持部４３１および係止部４３２の弾性変形がより生じやすい形状とすることもできる。また、本発明の別の態様によれば、支持部４３１および係止部４３２の弾性変形がより生じやすくなるよう、切り欠き部が設けられてもよい。
【００４５】
固定部材４０３の係止部４３２の溝幅方向の幅は、溝の幅よりも大きいものとされることが、固定部材４０３の溝への係止のためには好ましい。
【００４６】
次に、工程（ｂ）で用意した固定部材を大型無機質板の溝に係止する。この工程は、固定部材に力を加えてその形を歪め、大型無機質板の溝に固定部材を挿入する。挿入された固定部材は、係止部の側面が非貫通孔の内壁に面で当接して、固定部材の復元力で内壁を押し付けることにより発生する摩擦力により、溝に係止される。図１４および１５は、溝の幅が溝の深さ方向で変化しない態様において、固定部材４０３を溝２に固定した状態を表す。他の態様によれば、図１２（ｃ）に示さるような深さ方向に一定の距離の間、幅が変化しない内壁面があり、さらに深い位置では幅が大となる溝を用意して、これに固定部材を挿入する。図１６は、そのような溝に固定部材が挿入された状態の断面図である。図に示されるように、溝２の幅が変化しない内壁面に固定部材４０３の支持部４３１があたり、溝のさらに奥において幅が大となる箇所では係止部４３２が変形して側面が内壁に当接する。これにより固定部材４０３は溝２により確実に係止される。
【００４７】
本発明の第二の態様にあって、上記の工程（ｃ）〜（ｅ）は、本発明の第一の態様の工程（ｃ）〜（ｅ）と同様に行われてよい。とりわけ、接続材の接続、躯体への固定等についても同様とされてよい。
【符号の説明】
【００４８】
１・・無機質板、２・・非貫通孔または溝、４・・接続材、５・・固定具、１０３、２０３、３０３、４０３・・固定部材、５１・・躯体
【図１】
2017179930.tif 000003
【図２】
2017179930.tif 000004
【図３】
2017179930.tif 000005
【図４】
2017179930.tif 000006
【図５】
2017179930.tif 000007
【図６】
2017179930.tif 000008
【図７】
2017179930.tif 000009
【図８】
2017179930.tif 000010
【図９】
2017179930.tif 000011
【図１０】
2017179930.tif 000012
【図１１】
2017179930.tif 000013
【図１２】
2017179930.tif 000014
【図１３】
2017179930.tif 000015
【図１４】
2017179930.tif 000016
【図１５】
2017179930.tif 000017
【図１６】
2017179930.tif 000018